(57)【要約】【課題】配電機器を損傷することなく、容易に取り付けることができる配電機器を提供する。【解決手段】配電機器としての開閉器１本体の背面１ｃに電柱に装柱可能な装柱部材７を取り付ける。装柱部材７は、取付壁７４と両側壁７１と両折曲部７１ａとから断面Ｃ字状に形成し、上側端部に掛止部材７３、下側端部に規制部材７５が固定される。電柱１４に開閉器１を取り付ける際には、電柱１４に固定した電柱取付部材８に装柱部材７を被せ、装柱部材７の両側壁７１及び規制部材７５で誘導させながら電柱取付部材８の掛止部８２に、装柱部材７の掛止部材７３を上方から掛止した。そして、装柱部材７の規制部材７５を電柱取付部材８の背面に当接させた状態で固定具により固定した。よって、取り付け作業時等に開閉器１の電柱１４への取り付けが容易になるとともに、開閉器１の移動が規制され、確実に固定することができる。【選択図】図１
2009112120.tif 000002
【特許請求の範囲】
【請求項１】
配電機器本体が電柱に取り付けられた際に電柱側となる面である背面に取り付けられ、電柱に装着可能な装柱部材が備えられた配電機器において、
電柱に固定された電柱取付部材への装着時、前記装柱部材が同電柱取付部材を覆った状態で取り付けられる
ことを特徴とする配電機器。
【請求項２】
請求項１に記載の配電機器において、
前記装柱部材は、配電機器本体の前記背面に固定される取付壁と、同取付壁の両端から立設する両側壁とから形成した
ことを特徴とする配電機器。
【請求項３】
請求項１又は２に記載の配電機器において、
前記電柱取付部材と当接する規制部材を前記装柱部材の下側端部に設けた
ことを特徴とする配電機器。
【請求項４】
請求項１〜３のいずれか一項に記載の配電機器において、
前記電柱取付部材に掛止される掛止部材を前記装柱部材の上側端部に設けた
ことを特徴とする配電機器。
【発明の詳細な説明】
【技術分野】
【０００１】
この発明は、開閉器等の配電機器を電柱に取付可能な取付装置に関する。
【背景技術】
【０００２】
開閉器等の配電機器には、電柱に取り付けられる際に用いる装柱部材を設けたものがある。装柱部材は、通常配電機器の電柱と対向する面（背面）に固定されている。電柱取付部材は、両側壁を電柱に当接させて鎖により巻装して固定されている（例えば、特許文献１参照。）。
【特許文献１】実開平３−２６２２６号公報
【発明の開示】
【発明が解決しようとする課題】
【０００３】
しかしながら、特に上記の配電機器の取り付け作業等においては、クレーン等のフックを配電機器の吊金具に引っ掛け、配電機器を電柱取付部材に対して上方から移動し係合させる際、配電機器が前後、左右に揺れるので不安定であり、係合が容易にできず、作業が煩雑となっていた。また、不安定であるので配電機器を損傷するおそれがあった。
【０００４】
この発明は、こうした実情に鑑みてなされたものであり、その目的は、電柱に損傷することなく容易に取り付けることができる配電機器を提供することにある。
【課題を解決するための手段】
【０００５】
以下、上記目的を達成するための手段及びその作用効果について説明する。
請求項１に記載の発明は、配電機器本体が電柱に取り付けられた際に電柱側となる面である背面に取り付けられ、電柱に装着可能な装柱部材が備えられた配電機器において、電柱に固定された電柱取付部材への装着時、前記装柱部材が同電柱取付部材を覆った状態で固定されることをその要旨としている。
【０００６】
同構成によれば、電柱に固定された電柱取付部材に対して装着する際には、前記装柱部材が同電柱取付部材を覆うため、電柱への取り付け作業時等に配電機器は左右方向、電柱方向へ揺れることがなくなり安定するので安全に作業することができる。また、電柱に配電機器を損傷することなく取り付けることができる。そして、電柱取付部材に対して装着した際には、開閉器の左右方向への移動が規制されるので、確実に取り付けることができる。
【０００７】
請求項２に記載の発明は、請求項１に記載の配電機器において、前記装柱部材は、配電機器本体の前記背面に固定される取付壁と、同取付壁の両端から立設する両側壁とから形成したことをその要旨としている。
【０００８】
同構成によれば、装柱部材は、配電機器本体の背面に固定される取付壁と、同取付壁の両端から立設する両側壁とから形成した。このため、電柱取付部材に対して装着する際には、装柱部材の両側壁に誘導させながら電柱取付部材に取り付けることができる。よって、配電機器の電柱への取り付けが容易になる。
【０００９】
請求項３に記載の発明は、請求項１又は２に記載の配電機器において、前記電柱取付部材と当接する規制部材を前記装柱部材の下側端部に設けたことをその要旨としている。
同構成によれば、電柱取付部材が当接する規制部材を装柱部材の下側端部に設けたため、電柱に固定された電柱取付部材に対して装着する際には、装柱部材を規制部材で誘導させながら電柱取付部材に容易に装着することができる。よって、取り付け作業時等に配電機器の電柱への取り付けが容易になる。また、電柱取付部材に対して装着した際には、電柱取付部材に装柱部材を被せるとともに、装柱部材の規制部材を電柱取付部材の背面に当接させた状態で取り付けられる。よって、配電機器の上下、前後、左右の各方向への移動が規制されるので、確実に取り付けることができる。
【００１０】
請求項４に記載の発明は、請求項１〜３のいずれか一項に記載の配電機器において、前記電柱取付部材に掛止される掛止部材を前記装柱部材の上側端部に設けたことをその要旨としている。
【００１１】
同構成によれば、電柱取付部材に掛止される掛止部材を装柱部材の上側端部に設けたため、電柱に固定された電柱取付部材に対して装着する際に、装柱部材の掛止部材が配電機器本体に隠れず、電柱取付部材の掛止部への掛止状況を確認しながら作業することができる。このため、配電機器の電柱への取り付けが容易になる。
【発明の効果】
【００１２】
本発明によれば、配電機器を損傷することなく容易に取り付けることができる。
【発明を実施するための最良の形態】
【００１３】
以下、本発明にかかる配電機器を開閉器に具体化した一実施形態について図１〜図４を参照して説明する。
図１に示されるように、開閉器１の内部には図示しない固定電極と可動電極とが備えられるとともに、開閉器１の正面１ａには前記固定電極に対して前記可動電極を接離させるべく操作される操作ハンドル１０が設けられている。開閉器１の操作ハンドル１０が設けられている正面１ａに対して垂直方向の両側面１ｄ（１ｅ）には、ブッシング１１（１２）がそれぞれ突設されている。
【００１４】
図３に示されるように、開閉器１本体の上面１ｂには、同開閉器１をクレーン等により吊り上げられる際に用いるとともに、電柱上の腕金に取り付けられる際に用いる腕金取付部材２が上面１ｂに沿って配置されて、開閉器１本体に取り付けられた４本のボルト２７と４つのナット２８とにより開閉器１本体に固定されている。
【００１５】
図１に示されるように、腕金取付部材２は、開閉器１の上面１ｂに固定された本体取付部材２０、吊部材３２、本体取付部材２０に回動可能に軸支される２本の吊下げボルト２２、両吊下げボルト２２の間に架設される板状の支え部材２３、円筒状のスペーサ２５、座金２４ａ、ナット２４を備えている。右側の吊下げボルト２２の支え部材２３とスペーサ２５との間には、固定金具２９が取り付けられている。
【００１６】
本体取付部材２０は、両側部としての両側壁２０ａが長方形板材の両端部が上方へ折り曲げられることにより形成され、両側壁２０ａに軸受孔２０ｂがそれぞれ形成されている。本体取付部材２０の上面において前端寄りの部位には、電柱上の腕金１５を保持する凹部２０ｄが形成された前側腕金保持部材２０ｃが立設されている。本体取付部材２０の前端には、前方、すなわち正面１ａ側へ延出した規制片２０ｅが形成されている。規制片２０ｅは、吊下げボルト２２を前側へ吊部材３２の軸部３１を中心として回動させた際に支え部材２３若しくは吊下げボルト２２が当接し、回動を規制する。
【００１７】
図２に示されるように、本体取付部材２０の上面１ｂにおいて後端寄りの部位には、電柱上の腕金１５を保持する凹部２０ｇが形成された後側腕金保持部材２０ｆが立設されている。なお、後側腕金保持部材２０ｆは、腕金取付部材２の開閉器１の背面側端部を構成している。腕金取付部材２の背面側端部は、後述する装柱部材７の背面と同じ位置まで延出して形成されている。すなわち、腕金取付部材２の開閉器１の背面側端部は、開閉器１本体の正面１ａの反対側にあたる開閉器１本体の電柱に取り付けられた際に電柱側となる面である背面１ｃよりも後方へ延出して形成されている。
【００１８】
左側の吊下げボルト２２と右側の吊下げボルト２２との間には、支え部材２３が両吊下げボルト２２に沿って上下動可能に架設されている。支え部材２３には、左側の吊下げボルト２２を挿通する孔２３ａと右側の吊下げボルト２２を挿入する溝２３ｂとが形成されている。支え部材２３の左側の吊下げボルト２２の上方には、円筒状のスペーサ２５、座金２４ａ、ナット２４が取り付けられている。支え部材２３の右側の吊下げボルト２２の上方には、固定金具２９、円筒状のスペーサ２５、座金２４ａ、ナット２４が取り付けられている。すなわち、吊下げボルト２２の支え部材２３とナット２４との間にスペーサ２５が環装されている。
【００１９】
開閉器１が電柱上の腕金１５に取り付けられる際には、本体取付部材２０の前側腕金保持部材２０ｃ、後側腕金保持部材２０ｆの各凹部２０ｄ，２０ｇに腕金１５を位置させ、左側の吊下げボルト２２を中心に支え部材２３を回動させ、支え部材２３の溝２３ｂ内に右側の吊下げボルト２２を挿入し、固定金具２９を支え部材２３に係合させる。そして、両吊下げボルト２２に環装されたスペーサ２５を介してナット２４を締め付けることにより、支え部材２３が開閉器１の本体側へ変位され、吊下げ状態で電柱上の腕金１５に取り付けられる。
【００２０】
図１に二点鎖線で示されるように、収納される際には、支え部材２３は規制片２０ｅに当接されるとともに、スペーサ２５を介してナット２４を締め付けることにより、前側腕金保持部材２０ｃに当接固定されている。なお、両側壁２０ａ、前側腕金保持部材２０ｃ、後側腕金保持部材２０ｆの高さ寸法は、支え部材２３の幅寸法と同一寸法に形成されている。
【００２１】
図１に示されるように、吊部材３２は、本体取付部材２０の両軸受孔２０ｂに吊下げボルト２２を回動可能に軸支する軸部３１と、その右端部に連結される接続部３４と、接続部３４に連結されて吊下げボルト２２の先端面よりも下方に位置する環状の吊部３３とから構成され、単一の棒材が湾曲されることにより一体に形成されている。
【００２２】
具体的には、吊部材３２の軸部３１は、本体取付部材２０の両側壁２０ａの両軸受孔２０ｂに挿通するとともに、両側壁２０ａの内側に両吊下げボルト２２は回動可能に軸支されている。吊部材３２の吊部３３は、両吊下げボルト２２の間隙の中央、且つ支え部材２３の上方に位置している。また、吊部材３２の頂部、すなわち吊部３３の上部は、両吊下げボルト２２の上方先端以下の高さに設定されている。
【００２３】
吊部材３２の接続部３４は、軸部３１の右側端部に連結し、同右側端部から右側の吊下げボルト２２に沿って支え部材２３より上方へ延びる鉛直部３４ａと、鉛直部３４ａの上端から支え部材２３より上部で、且つナット２４より下部の間で左側へ水平に延び、両吊下げボルト２２の中間位置で吊部３３へ連結する水平部３４ｂとから構成されている。接続部３４の鉛直部３４ａは、吊下げボルト２２と接触しないように吊下げボルト２２に対して開閉器１の背面１ｃ側へ傾いている。本体取付部材２０の両側壁２０ａの両軸受孔２０ｂに挿通された軸部３１は、両側壁２０ａの外側にピン等を設けて抜け防止されている。また、ブッシング１１（側面１ｄ）から見て、吊部３３の円の中心Ｐは、開閉器１を水平にした状態において開閉器１の重心Ｇの鉛直上の位置より正面１ａ側に偏移されている。これにより、開閉器１を吊部材３２の吊部３３によって吊り上げると開閉器１本体は背面１ｃ側が正面１ａ側よりも下がった状態、すなわち装柱部材７側に傾斜している。
【００２４】
図２に示されるように、開閉器１本体の背面１ｃには、開閉器１を電柱に取り付ける際に用いる装柱部材７が背面１ｃに沿って配置されている。装柱部材７は、開閉器１本体に固定された２本のボルト７６と２つのナット７７とにより開閉器１本体に固定されている。
【００２５】
図３に示されるように、装柱部材７の装柱部材本体７０は、長方形板材よりなる取付壁７４と、その左右両端部が側方へ折り曲げられた両側壁７１と、両側壁７１から内側へ折り曲げられた両折曲部７１ａとから断面Ｃ字状に形成されている。なお、装柱部材７の取付壁７４と、両側壁７１との断面形状は、コ字状となっている。装柱部材７は、取付壁７４の背面側が開閉器１本体に固定されている。すなわち、開閉器１本体に対し装柱部材７は、外側に向けて開口するように固定されている。図１に示されるように、装柱部材７の上側端部は、腕金取付部材２の後側腕金保持部材２０ｆの凹部２０ｇの底辺と同じ位置まで延出して形成されている。すなわち、装柱部材７の上側端部は、開閉器１本体の上面１ｂよりも上方へ延出して形成されている。両側壁７１の上側端部の角には両軸孔７２がそれぞれ形成され、両軸孔７２には棒状の掛止部材７３が挿通固定されている。両側壁７１の下側端部には、板状の規制部材７５が架設固定されている。装柱部材７の上側端部の底面と腕金取付部材２の後側腕金保持部材２０ｆの側面とが当接され、ボルト７８とナット７９とにより締付固定されて、腕金取付部材２と装柱部材７とが連結されている。すなわち、装柱部材７と腕金取付部材２とは、開閉器１本体の背面１ｃから上面１ｂに亘りＬ字状の一体構造となっている。
【００２６】
図３に示されるように、電柱取付部材８の両側壁８１は、長方形板材の左右両端部が側方へ折り曲げられた断面コ字状に形成され、その両側壁２０ａには電柱１４の外周に沿って巻装固定するための鎖８３が取り付けされている。
【００２７】
ここで、図１に矢印で示されるように、装柱部材７は、電柱１４に巻装固定された電柱取付部材８に掛止されることにより電柱１４に取り付けられる。詳しくは、電柱取付部材８の側壁８１上部には、装柱部材７の掛止部材７３が掛止される掛止部８２としての凹部が形成されている。電柱取付部材８は、開口側を電柱１４側へ向けて両側壁８１の先端を電柱１４に当接させて、鎖８３を電柱１４の外周に沿って巻装固定される。装柱部材７は、掛止部材７３が上方から電柱取付部材８の掛止部８２に掛止されて、装柱部材７の両折曲部７１ａの内側が電柱取付部材８の両側壁８１の外側に嵌合して覆うように装着され、図示しない固定具により電柱１４に取り付けられる。
【００２８】
次に、前述のように構成された開閉器１の腕金取付部材２及び装柱部材７との取り付け態様について説明する。
図１に二点鎖線で示されるように、開閉器１の輸送時には、腕金取付部材２は、両側の吊下げボルト２２及び吊部材３２が腕金取付部材２の上面に対して平行となるように軸部３１を回動中心として回動し、収納された状態とされる。この際、吊下げボルト２２に取り付けられている支え部材２３は、腕金取付部材２の規制片２０ｅに当接し、前側腕金保持部材２０ｃよりも外側に位置している。そして、支え部材２３は、両側のナット２４が手で締め付けられることで、スペーサ２５により前側腕金保持部材２０ｃの外側面に押し付けられ固定されている。また、吊部材３２は、支え部材２３の上方に位置して、両側のナット２４が手で締め付けられることにより、軸部３１が両吊下げボルト２２により両軸受孔２０ｂの内面に押し付けられ、固定されている。
【００２９】
開閉器１を電柱１４上の腕金１５若しくは電柱１４に取り付ける際には、両側のナット２４を緩め、吊部材３２と両吊下げボルト２２とが軸部３１に対して回動可能な状態とする。また、固定金具２９を支え部材２３から外すとともに、右側の吊下げボルト２２から支え部材２３の溝２３ｂを外し、支え部材２３を左側の吊下げボルト２２に対して回動可能な状態とする。その後、吊部材３２を開閉器１の背面１ｃ側へ回動させ、吊部材３２を立設させる。そして、クレーン等のフックを吊部材３２の吊部３３に引っ掛け電柱の取り付け位置近傍まで持ち上げる。図１に示されるように、吊部材３２の吊部３３の中心Ｐは、開閉器１を水平にした状態において開閉器１の重心Ｇの鉛直上の位置より正面１ａ側に偏移されているので、開閉器１を吊部材３２の吊部３３によって吊り上げると開閉器１は背面１ｃ側に傾斜した状態となる。すなわち、開閉器１は、装柱部材７側に傾斜した状態となる。
【００３０】
開閉器１を電柱上の腕金１５に取り付ける際には、電柱上の腕金１５まで開閉器１を持ち上げ、腕金１５を腕金取付部材２の前側腕金保持部材２０ｃの凹部２０ｄに当接させる。そして、右側の吊下げボルト２２を開閉器１の背面１ｃ側へ回動させ、右側の吊下げボルト２２を吊部材３２の水平部３４ｂに当接させ仮置きする。また、左側の吊下げボルト２２を開閉器１の背面１ｃ側へ回動させた後、支え部材２３を回動させ、支え部材２３の溝２３ｂ内に右側の吊下げボルト２２を挿入し、固定金具２９を支え部材２３に係合させる。これにより、前側腕金保持部材２０ｃの凹部２０ｄと支え部材２３との間に腕金１５を挟み、ナット２４をラチェット工具により締め付けることにより、腕金１５を腕金取付部材２の後側腕金保持部材２０ｆの凹部２０ｇに当接させて、開閉器１が電柱上の腕金１５に取り付けられる。その後、クレーン等のフックを吊部材３２の吊部３３から外し、吊部材３２の吊部３３を開閉器１の背面１ｃ側へ回動し、腕金１５に当接して倒しておく。
【００３１】
電柱に取り付ける際には、まず電柱取付部材８を電柱１４の任意の位置に、その開口側を電柱１４側へ向けて両側壁８１の先端を電柱１４に当接させて、鎖８３により巻装固定する。電柱１４に固定された電柱取付部材８の上方まで開閉器１を移動させる。そして、クレーン等のフックを緩め、開閉器１を下方に移動させ、装柱部材７の両折曲部７１ａを電柱取付部材８の両側壁８１の外面に被せて、装柱部材７の側壁７１の両折曲部７１ａ及び電柱取付部材８の両側壁８１で開閉器１を下方に誘導させる。
【００３２】
更に、図４（ａ）、（ｂ）に示されるように、クレーン等のフックを緩め、装柱部材７の規制部材７５に当接させ、装柱部材７の両折曲部７１ａの内側面及び規制部材７５で開閉器１を下方に誘導させながら、電柱取付部材８の掛止部８２としての凹部に、装柱部材７の掛止部材７３を上方から掛止させる。この時、装柱部材７の掛止部材７３を両側壁７１の上側端部に設けるとともに、開閉器１が装柱部材７側に傾斜しているため、電柱取付部材８の掛止部８２への掛止状況を確認しながら作業することが可能となる。すなわち、掛止部材７３は開閉器１の上部の角に位置させるとともに、開閉器１を装柱部材７側に傾斜させて、掛止部材７３の位置を視認できるようにしたため、取り付け作業が容易となる。そして、更にクレーン等のフックを緩め、開閉器１を下方に移動させ、装柱部材７の規制部材７５を電柱取付部材８の背面に当接させ、装柱部材７を電柱取付部材８に被せた状態で電柱取付部材８の下部にある図示しない固定具にて固定させる。具体的には、先ず装柱部材７の両折曲部７１ａの下端部内側面を電柱取付部材８の両側壁８１の上端部外側面に当接させる。そして、これら２箇所に当接した状態で開閉器１を下方に更に移動させ、規制部材７５を当接させる。その後、これら３箇所に当接した状態で開閉器１を下方に更に移動させ、この開閉器１の下降にともない装柱部材７は電柱取付部材８の両側壁８１及び規制部材７５に沿ってスライドし、そのまま電柱取付部材８の掛止部８２に装柱部材７の掛止部材７３は掛止されることとなる。なお、装柱部材７の両側壁７１の両折曲部７１ａ及び規制部材７５は、誘導機能を有する誘導部を構成する。これにより、開閉器１が電柱１４に取り付けられる。その後、クレーン等のフックを吊部材３２の吊部３３から外し、吊部材３２を開閉器１の背面１ｃ側へ回動し、腕金に当接して倒しておく。
【００３３】
このように、電柱取付部材８の背面を装柱部材７の規制部材７５に当接させ、装柱部材７を電柱取付部材８に被せた状態で電柱取付部材８の下部に設けた図示しない固定具にて固定させる。その後、クレーン等のフックを吊部材３２の吊部３３から外して、開閉器１が電柱１４に取り付けられる。
【００３４】
以上、説明した実施形態によれば、以下の作用効果を奏することができる。
（１）電柱に固定された電柱取付部材８への装着時、電柱取付部材８が装柱部材７を覆うようにして、開閉器１の装柱部材７が電柱取付部材８に取り付けられるようにした。このため、電柱１４への取り付け作業時等に電柱取付部材８に対して装着する際には、開閉器１は左右方向、電柱方向へ揺れることがなくなり安定するので安全に作業することができる。また、開閉器１を損傷することなく電柱１４に取り付けすることができる。そして、電柱取付部材８に対して装着した際には、開閉器１本体の左右方向への移動が規制されるので、確実に取り付けることができる。
【００３５】
（２）装柱部材７は、開閉器１本体の背面に固定される取付壁７４と、取付壁７４の両端から立設する両側壁７１とから形成した。このため、電柱取付部材８に対して装着する際には、装柱部材７の両側壁７１の内側面で誘導させながら電柱取付部材８の掛止部８２に、装柱部材７の掛止部材７３を上方から掛止させるようにできる。よって、装柱部材７の掛止部材７３の電柱取付部材８の掛止部８２への掛止が容易にできるので、取り付け作業時等に開閉器１の電柱１４への取り付けが容易になる。
【００３６】
（３）電柱取付部材８に当接する規制部材７５を装柱部材７の下側端部に設けた。すなわち、規制部材７５の両側壁７１の下側端部に規制部材７５が架設固定した。このため、電柱取付部材８に対して装着する際には、装柱部材７の両側壁７１の内側面とともに、規制部材７５で誘導させながら装柱部材７の掛止部材７３の電柱取付部材８の掛止部８２への掛止が更に容易にできる。よって、取り付け作業時等に開閉器１の電柱１４への取り付けが更に容易になる。そして、電柱取付部材８に対して装着した際に、電柱取付部材８に装柱部材７を被せるとともに、装柱部材７の規制部材７５を電柱取付部材８の背面に当接させた状態で固定具にて固定させるようにした。このため、開閉器１の上下、前後、左右の各方向への移動が規制されるので、確実に固定することができる。
【００３７】
（４）電柱取付部材８に掛止される掛止部材７３を装柱部材７の上側端部に設けた。すなわち、装柱部材７の両側壁７１の上側端部の角に掛止部材７３を挿通固定した。このため、電柱１４に固定された電柱取付部材８に対して装着する際に、装柱部材７の掛止部材７３が開閉器１本体に隠れず、電柱取付部材８の掛止部８２への掛止状況を確認しながら作業することができる。このため、取り付け作業時等に開閉器１の電柱１４への取り付けが容易になる。
【００３８】
なお、上記実施形態は、これを適宜変更した以下の形態にて実施することができる。
・上記実施形態では、電柱取付部材８に掛止される掛止部材７３を装柱部材７の上側端部に挿通固定したが、必ずしも上側端部に設けなくともよい。
【００３９】
・上記実施形態では、電柱取付部材８が当接する規制部材７５を装柱部材７の下側端部に架設するようにしたが、必ずしも下側端部に設けなくともよい。
・上記実施形態では、装柱部材７の断面形状をＣ字状としたが、装柱部材７が電柱取付部材８を覆うような形状であれば、側壁７１の先端に設けた折曲部７１ａをなくした断面コ字状等に任意に変更してもよい。
【００４０】
・上記実施形態では、開閉器に具体化したが、遮断器等の配電機器に適宜変更可能である。
【図面の簡単な説明】
【００４１】
【図１】開閉器の側面図。
【図２】開閉器の背面図。
【図３】開閉器の上面図。
【図４】（ａ）開閉器の電柱への装着状態を示す側面の部分拡大図、（ｂ）開閉器の電柱への装着状態を示す上面の部分拡大図。
【符号の説明】
【００４２】
１…開閉器、１ａ…正面、１ｂ…上面、１ｃ…背面、１ｄ，１ｅ…側面、２…腕金取付部材、７…装柱部材、８…電柱取付部材、１０…操作ハンドル、１１，１２…ブッシング、１４…電柱、１５…腕金、２０…本体取付部材、２０ａ…側壁、２０ｂ…軸受孔、２０ｃ…前側腕金保持部材、２０ｄ…凹部、２０ｅ…規制片、２０ｆ…後側腕金保持部材、２０ｇ…凹部、２２…吊下げボルト、２３…支え部材、２３ａ…孔、２３ｂ…溝、２４…ナット、２４ａ…座金、２５…スペーサ、２７…ボルト、２８…ナット、２９…固定金具、３１…軸部、３２…吊部材、３３…吊部、３４…接続部、３４ａ…鉛直部、３４ｂ…水平部、７０…装柱部材本体、７１…側壁、７１ａ…折曲部、７２…軸孔、７３…掛止部材、７４…取付壁、７５…規制部材、７６…ボルト、７７…ナット、７８…ボルト、７９…ナット、８１…側壁、８２…掛止部、８３…鎖、Ｇ…重心、Ｐ…中心。
【図１】
2009112120.tif 000003
【図２】
2009112120.tif 000004
【図３】
2009112120.tif 000005
【図４】
2009112120.tif 000006